(57)【要約】      （修正有）【課題】  低コストで、かつ、表示する情報を臨機応変に変更することのできる情報表示装置、情報表示パネル、表示ランプ、情報表示方法を提供する。【解決手段】  情報表示パネル１０を、第一導電層１２および第二導電層１４が絶縁層１３を介して積層された構成とした。そして表示ランプ３０を情報表示パネル１０に刺し込み、電源１６から第一導電層１２および第二導電層１４に電圧を印加することで、表示ランプ３０を点灯させることができるようにした。このとき、第一導電層１２、絶縁層１３、第二導電層１４、カバー層１５は、それぞれ弾性を有しているので、表示ランプ３０は情報表示パネル１０の任意の位置に取り付けることができ、また引き抜くことで容易に取り外すことができる。【選択図】図３
2006010803.tif 000002
【特許請求の範囲】
【請求項１】
基本情報を表示する情報表示部と、前記情報表示部の表面の任意の位置に取付可能な表示ランプとを備え、
前記情報表示部は、
導電性を有した第一導電部と、
導電性を有した第二導電部と、
絶縁性を有し、前記第一導電部と前記第二導電部の間に配置された絶縁部と、
前記第一導電部と前記第二導電部の間に電位差を生じさせる電源と、を備え、
前記表示ランプは、
前記情報表示部の表面から前記情報表示部に刺し込み可能で、前記第一導電部と電気的に接続可能な第一の電極部材と、
前記情報表示部の表面から前記情報表示部に刺し込み可能で、前記第二導電部と電気的に接続可能な第二の電極部材と、
前記第一の電極部材および前記第二の電極部材に電気的に接続されたランプ本体と、
を備えることを特徴とする情報表示装置。
【請求項２】
前記情報表示部は、前記第一導電部、前記絶縁部、前記第二導電部が積層された構成であることを特徴とする請求項１に記載の情報表示装置。
【請求項３】
前記情報表示部は、前記情報表示部の表面に、基本情報が記載されたシートが着脱自在に取付可能で、
前記表示ランプは、前記シート上の任意の位置に取付可能であることを特徴とする請求項１または２に記載の情報表示装置。
【請求項４】
前記電源で前記第一導電部と前記第二導電部の間に生じさせる電位差を調整するコントローラをさらに備えていることを特徴とする請求項１から３のいずれかに記載の情報表示装置。
【請求項５】
前記情報表示部は、前記第一導電部、前記第二導電部、および前記絶縁部が、複数のエリアに電気的に区分されて設けられ、
前記コントローラは、複数の前記エリアのそれぞれにおいて独立して、前記第一導電部と前記第二導電部の間に電圧を印加することを特徴とする請求項４に記載の情報表示装置。
【請求項６】
前記情報表示部は、複数の前記第一導電部が、互いに電気的に絶縁された状態で積層されて設けられ、
前記表示ランプは、前記第一の電極部材の長さが、複数の前記第一導電部のいずれか一つに電気的に接続可能となるよう、複数種設けられていることを特徴とする請求項１から５のいずれかに記載の情報表示装置。
【請求項７】
導電性および弾性を有した第一導電層と、
導電性および弾性を有した第二導電層と、
絶縁性および弾性を有し、前記第一導電層と前記第二導電層の間に配置された絶縁層と、
前記第一導電層と前記第二導電層の間に電位差を生じさせる電源と、
基本情報が記載されたシートまたは基本情報を記入可能なシートを保持するシート保持層と、を備え、
前記第一導電層、前記第二導電層、前記絶縁層、および前記シート保持層は、積層されて設けられるとともに、ピンが刺し込み可能であることを特徴とする情報表示パネル。
【請求項８】
前記ピンとして二本一対の電極ピンを備えた表示ランプが、一方の前記電極ピンを前記第一導電層に電気的に接続させ、他方の前記電極ピンを前記第二導電層に電気的に接続させた状態となるよう、刺し込み可能であることを特徴とする請求項７に記載の情報表示パネル。
【請求項９】
前記シート保持層は、前記シートを着脱可能な状態で保持することを特徴とする請求項７または８に記載の情報表示パネル。
【請求項１０】
所定の長さを有した第一の電極ピンと、
前記第一の電極ピンより短い第二の電極ピンと、
前記第一の電極ピンおよび前記第二の電極ピンに電圧が印加されることで点灯可能な光源と、
前記光源を覆うカバーと、を備え、
第一導電層と第二導電層が互いに絶縁された状態で積層され、前記第一導電層と前記第二導電層の間に電圧が印加される電源装置に対し、前記第一の電極ピンが前記第一導電層に電気的に接続され、前記第二の電極ピンが前記第二導電層に電気的に接続される状態となるよう、前記第一の電極ピンおよび前記第二の電極ピンが刺し込み可能であることを特徴とする表示ランプ。
【請求項１１】
前記第一の電極ピンは、前記第一導電層に電気的に接続された状態で前記第二導電層と電気的に絶縁するための絶縁被覆部を備えることを特徴とする請求項１０に記載の表示ランプ。
【請求項１２】
前記カバーは、前記光源が発する光を透過し、かつ所定の情報が記載可能または所定の情報が記載されたラベルが取付可能であることを特徴とする請求項１０または１１に記載の表示ランプ。
【請求項１３】
所定の長さを有し、先端が尖った形状とされた第一の電極ピンと、
前記第一の電極ピンより短く、先端が尖った形状とされた第二の電極ピンと、
前記第一の電極ピンおよび前記第二の電極ピンに電圧が印加されることで点灯可能な光源と、
前記光源を覆うカバーと、を備えることを特徴とする表示ランプ。
【請求項１４】
導電性および弾性を有した第一導電層と、導電性および弾性を有した第二導電層と、絶縁性および弾性を有し、前記第一導電層と前記第二導電層の間に配置された絶縁層と、前記第一導電層と前記第二導電層の間に電位差を生じさせる電源と、を備えた情報表示パネルの表面に基本情報を記載するとともに、
前記情報表示パネルの表面に二本一対の電極ピンを備えた表示ランプを刺し込み、一方の前記電極ピンを前記第一導電層に電気的に接続させ、他方の前記電極ピンを前記第二導電層に電気的に接続させることで、前記表示ランプを、前記情報表示パネルの表面に記載された前記基本情報上で点灯させることを特徴とする情報表示方法。
【発明の詳細な説明】
【技術分野】
【０００１】
本発明は、各種情報を表示するための情報表示装置、情報表示パネル、表示ランプ、情報表示方法に関する。
【背景技術】
【０００２】
各種情報を表示する表示板・表示装置としては、旧来からの黒板、ホワイトボード等、手書きで情報を記載するものをはじめ、多数の電球やＬＥＤ（Light Emitting Diode）を配列した電光掲示板や、液晶、有機ＥＬ（Electro-Luminescence）等を用いた表示装置がある（例えば、特許文献１、２参照。）。
【０００３】
【特許文献１】特開２００１−１１７５３６号公報（図１）
【特許文献２】特開２００４−６９７７４号公報（図１）
【発明の開示】
【発明が解決しようとする課題】
【０００４】
しかしながら、黒板やホワイトボードは、手書きで情報を記載するため、例えば集客、案内等の目的で使用するには、美観的に優れているとは決して言えず、また特定の箇所を目立つように表示する等は困難である。
これに対し、電光掲示板や液晶・有機ＥＬを用いた表示装置等では、美観的に優れ、点滅表示、カラー表示等によって特定の箇所を目立たせることも容易である。しかし、これら電光表示板や表示装置は、高価である。また表示内容を予め入力する必要があるため、入力の手間がかかり、表示する情報の変更を行うのは容易ではない。
本発明は、このような技術的課題に基づいてなされたもので、低コストで、かつ、表示する情報を臨機応変に変更することのできる情報表示装置、情報表示パネル、表示ランプ、情報表示方法を提供することを目的とする。
【課題を解決するための手段】
【０００５】
かかる目的のもと、本発明の情報表示装置は、基本情報を表示する情報表示部と、情報表示部の表面の任意の位置に取付可能な表示ランプとを備えたものである。そして、情報表示部は、導電性を有した第一導電部と、導電性を有した第二導電部と、絶縁性を有し、第一導電部と第二導電部の間に配置された絶縁部と、第一導電部と第二導電部の間に電位差を生じさせる電源と、を備えたことを特徴としている。一方、表示ランプは、情報表示部の表面から情報表示部に刺し込み可能な第一の電極部材と第二の電極部材を備えている。これら第一の電極部材および第二の電極部材はランプ本体に電気的に接続されており、このような情報表示装置では、表示ランプの第一の電極部材と第二の電極部材を情報表示部の表面から刺し込むと、第一の電極部材を第一導電部に電気的に接続させることができ、第二の電極部材を第二導電部に電気的に接続させることができる。この状態で、電源から第一導電部と第二導電部に電位差を生じさせると、第一の電極部材、第二の電極部材を介してランプ本体に電圧が印加され、これによってランプ本体が点灯する。
本発明においては、情報表示部側には、第一の電極部材、第二の電極部材を刺し込むための穴を予め形成しておく必要は無く、第一の電極部材、第二の電極部材を任意の位置に刺し込めるような材料で形成すればよい。このようにして、本発明の情報表示装置では、表示ランプの第一の電極部材と第二の電極部材を、情報表示部に刺し込むのみで、表示ランプを点灯させることができ、配線等を行う必要も無い。
【０００６】
ところで、このような情報表示装置では、第一導電部と第二導電部を、情報表示部の表面に沿って、絶縁部を介して並べて設けることもできる。しかしその場合、表示ランプの第一の電極部材を第一導電部に刺し込み、第二の電極部材を第二導電部に刺し込むには、表示ランプの位置や向き（回転方向の向き）が制限されることになる。
これに対し、情報表示部を、第一導電部、絶縁部、第二導電部が積層された構成とするのが有効である。このようにすれば、第一導電部と第二導電部が積層されている範囲内であれば、任意の位置に表示ランプを配置することができる。ただしこの場合、例えば第一の電極部材を刺し込んだときに、第一の電極部材が第二導電部を貫通してから第一導電部に到達する場合、第一の電極部材には、第二導電部との短絡を防ぐための絶縁被覆を設けるのが好ましい。逆に、第二の電極部材を刺し込んだときに、第一導電部を貫通してから第二導電部に到達する場合、第二の電極部材には、第一導電部との短絡を防ぐための絶縁被覆を設けるのが好ましい。もちろん、第一の電極部材と第二の電極部材の双方に、絶縁被覆を設けても良い。
【０００７】
さて、上記のように、表示ランプの第一の電極部材と第二の電極部材を情報表示部に刺し込むには、第一導電部、第二導電部等、第一の電極部材と第二の電極部材が刺し込まれる部分を、例えばゴム系材料等、弾性を有した材料で形成するのが好ましい。また、第一の電極部材と第二の電極部材を引き抜いた後に、これらが刺し込まれていた部分に形成された穴が目立たないよう、前記の材料の弾性により、穴が元の状態に近づくよう、復元するのが好ましい。また、穴を目立たなくするには、情報表示部の表面に、ある程度の厚さを有した布や発泡スチロール、スポンジ状の材料等を貼るのも良い。
【０００８】
このような情報表示装置においては、情報表示部の表面に、例えば地図や各種のリスト、表、グラフ等の基本情報が記載されたシートを着脱自在に取付可能とするのが好ましい。そして、表示ランプを、シート上の任意の位置に取り付けて点灯させることにより、情報を視認性に優れた状態で表示させることが可能となる。
【０００９】
また、情報表示装置に、電源で第一導電部と第二導電部の間に生じさせる電位差を調整するコントローラをさらに備えるようにすれば、表示ランプで発する光の明るさを調整させたり、表示ランプを点滅させることができる。
【００１０】
さらに、情報表示部において、第一導電部、第二導電部、および絶縁部を、複数のエリアに電気的に区分して設けることもできる。そして、コントローラでは、複数のエリアのそれぞれにおいて独立して、第一導電部と第二導電部の間に電圧を印加することができる。これにより、エリアごとに、表示ランプの明るさを変えたり、点灯や点滅のタイミングを異ならせることもできる。
【００１１】
この他、情報表示部において、複数の第一導電部を、互いに電気的に絶縁された状態で積層させて設けることもできる。この場合、表示ランプは、第一の電極部材が、複数の第一導電部のいずれか一つに電気的に接続可能となるよう、長さが異なる複数種の第一の電極部材を設ける（用意する）。これにより、表示ランプの種類によって、電気的に接続する第一導電部が異なることになる。コントローラで、それぞれの第一導電部への電圧印加をコントロールすることで、表示ランプの種類ごとに、表示ランプの明るさを変えたり、点灯や点滅のタイミングを異ならせることもできる。
【００１２】
ところで、情報表示部は、パネル状とするのが好ましいが、これに限るものではない。例えば、情報表示部を、他の装置や構造物の一部として組み込むこともできる。その場合、情報表示部を組み込んだ装置や構造物を、本発明における情報表示装置とすることもできる。
【００１３】
本発明は、情報表示パネル単体としても捉えることができる。この情報表示パネルは、導電性および弾性を有した第一導電層と、導電性および弾性を有した第二導電層と、絶縁性および弾性を有し、第一導電層と第二導電層の間に配置された絶縁層と、第一導電層と第二導電層の間に電位差を生じさせる電源と、シートを保持するシート保持層と、を備え、第一導電層、第二導電層、絶縁層、およびシート保持層を積層して設けるとともに、ピンを刺し込み可能としたことを特徴とする。
ここで、二本一対の電極ピンを備えた表示ランプが、一方の電極ピンを第一導電層に電気的に接続させ、他方の電極ピンを第二導電層に電気的に接続させた状態となるよう、表示パネルに刺し込むことができる。この場合、表示ランプの二本一対の電極ピンが、前記のピンとなる。
シート保持層で保持するシートとしては、基本情報が記載されたシートまたは基本情報を記入可能なシートがある。基本情報が記載されたシートとは、予め、印刷あるいは手書き等で基本情報が記載されたものである。また、基本情報を記入可能なシートとは、紙、あるいはホワイトボードのように、筆記用具によって情報を書き込むことが可能であるものを言う。シート保持層では、このようなシートを着脱可能な状態で保持することもできる。つまり、シートを交換できるのである。これにより、表示パネルの汎用性が高まる。
このような表示パネルは、前記した情報表示部として用いることができる。
【００１４】
本発明は、表示ランプ単体として捉えることもできる。この表示ランプは、所定の長さを有した第一の電極ピンと、第一の電極ピンより短い第二の電極ピンと、第一の電極ピンおよび第二の電極ピンに電圧が印加されることで点灯可能な光源と、光源を覆うカバーと、を備えている。さらに、この表示ランプは、第一導電層と第二導電層が互いに絶縁された状態で積層され、第一導電層と第二導電層の間に電圧が印加される電源装置に対し、第一の電極ピンおよび第二の電極ピンが刺し込み可能であることを特徴とする。そして、第一の電極ピンおよび第二の電極ピンを刺し込んだ状態では、第一の電極ピンが第一導電層に電気的に接続され、第二の電極ピンが第二導電層に電気的に接続されるようになっている。
このとき、第一の電極ピンは、第二導電層（および絶縁層）を貫通して第一導電層に到達する。このため、第二導電層との短絡を防ぐため、第一の電極ピンは、第一導電層に電気的に接続された状態で第二導電層と電気的に絶縁するための絶縁被覆部を備えるのが好ましい。もちろん、第二の電極ピンにも、同様の絶縁被覆を備えることができる。
また、表示ランプのカバーには、光源が発する光を透過し、かつ所定の情報が記載可能または所定の情報が記載されたラベルを取り付けることもできる。これにより、表示ランプを点灯させることで、記号や文字等の所定の情報を明示することができる。
【００１５】
ところで、本発明において、表示ランプは、所定の長さを有し、先端が尖った形状とされた第一の電極ピンと、第一の電極ピンより短く、先端が尖った形状とされた第二の電極ピンと、第一の電極ピンおよび第二の電極ピンに電圧が印加されることで点灯可能な光源と、光源を覆うカバーと、を備えることを特徴としたものとして捉えることもできる。このように、先端が尖った第一の電極ピンおよび第二の電極ピンを備えた表示ランプは、上記したような情報表示部、情報表示パネルに刺し込んで用いるのに適している。このとき、第一の電極ピン、第二の電極ピンは、先端が尖った形状を有しているのであれば、先端が必ずしも完全に鋭利である必要は無く、第一導電層、第二導電層、絶縁層等の材質等に応じ、容易に刺し込むことができるよう、その先端形状を決定できる。
【００１６】
また、情報表示方法として本発明を捉えることもできる。その場合の情報表示方法では、導電性および弾性を有した第一導電層と、導電性および弾性を有した第二導電層と、絶縁性および弾性を有し、第一導電層と第二導電層の間に配置された絶縁層と、第一導電層と第二導電層の間に電位差を生じさせる電源と、を備えた情報表示パネルの表面に基本情報を記載する。そして、情報表示パネルの表面に二本一対の電極ピンを備えた表示ランプを刺し込む。このとき、一方の電極ピンを第一導電層に電気的に接続させ、他方の電極ピンを第二導電層に電気的に接続させることで、表示ランプを、情報表示パネルの表面に記載された基本情報上で点灯させることができる。
【００１７】
なお、本発明において、シート上に記載する基本情報はいかなるものであっても良い。基本情報は、情報表示部あるいは情報表示パネルと、表示ランプとを組み合わせて表示したい情報に応じたものとすればよい。
【発明の効果】
【００１８】
本発明によれば、情報表示部あるいは情報表示パネルに表示ランプを刺し込むのみで、表示ランプを点灯させることができる。このとき、表示ランプは情報表示部あるいは情報表示パネルの任意の位置に取り付けることができ、また引き抜くことで容易に取り外すことができる。これにより、基本情報を記載したシート上の適切な位置に表示ランプを配置して点灯させることで、様々な情報を表示することが可能となる。
そして、表示ランプは、情報表示パネルに対し任意の位置で着脱自在であるので、シート上の適宜位置に付け替えることも可能であり、表示する情報内容を容易に変更できる。さらに、基本情報が記載されたシートを交換、あるいはシートに記載された基本情報を書き換えることで、情報表示パネルの用途も容易に変更できる。
このようにして、情報表示装置、情報表示パネルでは、情報を美観および視認性に優れた状態で表示できる。しかも、情報表示部、情報表示パネルは、非常に簡易な構成であるため、製作も容易かつ非常に安価で行うことが可能である。
【発明を実施するための最良の形態】
【００１９】
以下、添付図面に示す実施の形態に基づいてこの発明を詳細に説明する。
図１は、本実施の形態における情報表示パネル（情報表示部、電源装置）１０の構成を説明するための断面図である。
この図１に示すように、情報表示パネル１０は、全体として所定の広さを有した板状をなしており、ベース板１１、第一導電層（第一導電部）１２、絶縁層（絶縁部）１３、第二導電層（第二導電部）１４、カバー層（シート保持層）１５が、順に積層された構成を有している。
【００２０】
ベース板１１は、アクリル等の樹脂、金属等の材料によって形成され、所定の厚さを有して、情報表示パネル１０の剛性を担っている。
第一導電層１２は、導電性と、弾性とを備えており、例えば、導電性を有した各種材料をゴム材料に配合することによって形成された導電性ゴムによって形成されている。第一導電層１２は、導電性と弾性とを備えているのであれば、導電性ゴムに限らず、他の材料で形成しても良い。
絶縁層１３は、絶縁性と弾性とを有しており、例えばゴム材料によって形成されている。
第二導電層１４は、第一導電層１２と同様、例えば導電性ゴムによって形成され、導電性と弾性とを備えている。
【００２１】
カバー層１５は、情報表示パネル１０の外表面を形成するもので、弾性を有した、ゴムや布、発泡スチロール、あるいは磁性材料（主に樹脂やゴム系材料に磁性材料を配合して形成されたものを想定している）によって形成されている。このカバー層１５の表面には、接着テープ、接着剤、画鋲、面ファスナー、磁石等により、紙や布等のシート２０を着脱可能な状態で貼り付け・保持できるようになっている。
【００２２】
これらベース板１１、第一導電層１２、絶縁層１３、第二導電層１４、カバー層１５は、接着テープ、接着剤、溶着等の接合手段によって互いに接合されている。
【００２３】
また、この情報表示パネル１０は、第一導電層１２、第二導電層１４に、電圧（電位差）を印加する電源１６を備えている。電源１６では、電圧印加することで、例えば第一導電層１２を正極、第二導電層１４を負極として機能させる。この電源１６には、印加する電圧（あるいは電流）をコントロールするコントローラを備えることもできる。
【００２４】
このような情報表示パネル１０には、任意の位置に、表示ランプ３０を着脱自在に取り付けることができるようになっている。
図２に示すように、表示ランプ３０は、光源（ランプ本体）３１と、カバー３２と、二本一対の電極部材３３、３４とから構成されている。
光源３１としては、ＬＥＤ、電球等を用いることができる。消費電力が小さく、耐久性が高いことから、光源３１としてはＬＥＤが好適である。また、ＬＥＤ等の光源３１は、一つの表示ランプ３０に複数備えることもできる。複数の光源３１を備えることで、発光量を増大させたり、また複数の光源３１を所定のパターンで配置しておくことで、文字やマーク等を一つの表示ランプ３０で表示することもできる。
カバー３２は、例えば樹脂等で形成され、その内部に光源３１が収容されている。このカバー３２は、光源３１で発する光を外部に透過させるため、その一部または全部が透明または半透明である材料で形成するのが好ましい。
電極部材３３、３４は、光源３１に接続されており、カバー３２の背面側に延びるよう設けられている。ここで、一方の電極部材（第一の電極部材、ピン、電極ピン、第一の電極ピン）３３と、他方の電極部材（第二の電極部材、ピン、電極ピン、第二の電極ピン）３４は、その長さが異なっている。また、電極部材３３、３４は、それぞれ、その先端部３３ａ、３４ａを除き、その外周部がゴム等の絶縁材料からなる絶縁被覆部３６によって被覆されている。また、電極部材３３、３４は、先端部３３ａ、３４ａに行くにしたがい外径が徐々に小さくなることで先端が尖った形状に形成されて、ピン状をなしている。
【００２５】
図３は、情報表示パネル１０と表示ランプ３０を組み合わせて構成される情報表示装置の使用状態を示す断面図である。
この図３に示すように、このような表示ランプ３０は、電極部材３３、３４をカバー層１５側から刺し込むことによって、情報表示パネル１０に取付可能となっている。表示ランプ３０は、ピン状の電極部材３３、３４を単に刺し込むだけであるので、情報表示パネル１０から容易に引き抜くこともできる。ここで、表示ランプ３０が情報表示パネル１０から不用意に脱落するのを防止するため、電極部材３３、３４を、５°程度傾け、ハの字状、あるいは逆ハの字状等とするのが有効である。
【００２６】
さて、表示ランプ３０を情報表示パネル１０のカバー層１５側から刺し込んだ状態で、互いに長さの異なる電極部材３３、３４のうち、一方の電極部材３３の先端部３３ａが第一導電層１２内に位置し、他方の電極部材３４は、その先端部３４ａが第二導電層１４内に位置するようになっている。このとき、電極部材３３、３４には絶縁被覆部３６が設けられているため、先端部３３ａ、３４ａのみが第一導電層１２、第二導電層１４に電気的に接続されることになる。
【００２７】
これにより、電源１６から第一導電層１２、第二導電層１４に電圧印加すると、電極部材３３、３４を介して光源３１に通電し、光源３１が発光する。その光は、カバー３２を通し、外部に透過する。
なお、カバー３２に着色したり、光源３１自体の光の色を異ならせたり、あるいは光源３１に着色されたキャップ等を取り付けることで、複数の表示ランプ３０で異なる色の光を発することもできる。
【００２８】
さて、このような情報表示パネル１０には、前述したように、カバー層１５にシート２０が着脱できるようになっている。
このシート２０には、印刷、あるいは手書き等によって、情報表示パネル１０で表示する情報のうち、基本となる情報（以下、基本情報）を記載することができる。
【００２９】
また、表示ランプ３０のカバー３２には、様々なマークや文字、模様等（所定の情報）を記載したラベル３７を取り付けておくことができる。またカバー３２には、マークや文字、模様等を、印刷、手書き等で直接記載するようにしても良い。
情報表示パネル１０では、このように、基本情報が記載されたシート２０の適宜位置に表示ランプ３０を取り付け、発光させることで、様々な情報を表示させることができるのである。
【００３０】
なお、情報表示パネル１０の面積あたりに装着できる表示ランプ３０の適正個数を予め設定し、表示ランプ３０に過電流が流れるのを防止するよう、整流器（レギュレータ）やＡＣ／ＤＣコンバータ等を備えるのが好ましい。
【００３１】
図４および図５は、情報表示パネル１０の使用例を示す図である。
図４に示す例では、情報表示パネル１０を案内地図として用いている。すなわち、情報表示パネル１０のカバー層１５に、目的地までの地図を基本情報として記載したシート２０を取り付ける。そして、シート２０に記載された地図上の適宜位置に、進行方向を示すための矢印や、目的地を示すための記号等を記載した表示ランプ３０を配置する（電極部材３３、３４を刺し込むことで情報表示パネル１０に取り付ける）。これにより、出発点（情報表示パネル１０が設けられている位置）から目的地までのルートにおいて、曲がり角や目的地の位置を、表示ランプ３０を点灯させた状態で表示することができる。
【００３２】
図５に示す例では、情報表示パネル１０を、抽選あるいは選挙等の当選者を示すために用いている。
これには、シート２０に、予め登録された応募者あるいは立候補者のリストを基本情報として記載しておき、このシート２０を情報表示パネル１０のカバー層１５に取り付ける。
そして、抽選に当選した応募者、あるいは選挙に当選した立候補者の記載位置の近くに、表示ランプ３０の電極部材３３、３４を刺し込む。すると、表示ランプ３０が点灯し、当選者が明示できる。
【００３３】
上述したように、情報表示パネル１０を、第一導電層１２および第二導電層１４が絶縁層１３を介して積層された構成とし、情報表示パネル１０に表示ランプ３０を刺し込み、電源１６から第一導電層１２および第二導電層１４に電圧を印加することで、表示ランプ３０を点灯させることができる。このとき、第一導電層１２、絶縁層１３、第二導電層１４、カバー層１５は、それぞれ弾性を有しているので、表示ランプ３０は情報表示パネル１０の任意の位置に取り付けることができ、また引き抜くことで容易に取り外すことができる。これにより、情報表示パネル１０に、基本情報を記載したシート２０を取り付け、このシート２０上の適切な位置に表示ランプ３０を配置して点灯させることで、様々な情報を表示することが可能となる。
そして、前述したように、表示ランプ３０は、情報表示パネル１０に対し着脱自在であるので、シート２０上の適宜位置に付け替えることも可能であり、これによって、情報表示パネル１０で表示する情報内容を容易に変更できる。さらに、基本情報が記載されたシート２０を交換、あるいはシート２０に記載された基本情報を書き換えることで、情報表示パネル１０自体の用途も容易に変更できる。
【００３４】
このように、情報表示パネル１０は、情報を表示ランプ３０の点灯によって、視認しやすい状態で表示することができる。また、シート２０を例えば紙等で構成すれば、基本情報は印刷等により容易かつ優れた美観で記載することができるので、情報表示パネル１０においては、情報を美観および視認性に優れた状態で表示できる。
しかも、情報表示パネル１０自体は、ベース板１１、第一導電層１２、絶縁層１３、第二導電層１４、カバー層１５を積層し、さらに電源１６を備えることで最低限構成できることから、製作も容易かつ非常に安価で行える。
【００３５】
なお、上述したような情報表示パネル１０は、他にも様々な用途で用いることが可能である。
例えば、広告用途、各種教育機関等における教育用途（例えば、図８参照）、表やグラフを明示する用途、各種配置図やリストにおけるチェック用途、レイアウト図（例えば、図９参照）、スポーツや遊戯、所定の行動を行う際の人員や機器、設備、建物等の配置を示す用途、ゲームや玩具、カレンダーや各種家庭用品、カー用品等である。カー用品の場合、例えば、自動車のリヤウインドウ近傍や屋根等に情報表示パネル１０を設置し、文字や文字列、マーク等を表示でき、さらに、その点灯や点滅をブレーキランプやヘッドライトの点灯に連動させることもできる。
上記したような例では、それぞれの用途において、シート２０に基本情報を記載しておくわけであるが、これに限らず、例えば、シート２０を、いわゆるホワイトボードのような材質、あるいは紙等で形成し、ここにペン等で情報を手書きで書き込めるようにしても良い。その場合、表示ランプ３０を任意の位置に取り付けることで、書き込んだ情報に視覚的アクセントを付けたりすることが可能である。
【００３６】
また、情報表示パネル１０は、それ単体ではなく、他の機器等に、その一部として組み込むことも可能である。その場合、組み込み対象となる機器に電源が備えられていれば、情報表示パネル１０の電源１６には、その機器の電源を用いることも可能である。
さらに、情報表示パネル１０を、建物等における壁、天井、床の一部とすることも可能である。
これ以外にも、情報表示パネル１０の構成は、上記に例示したものに限らず、適宜他の構成に変更することが可能である。
【００３７】
例えば、情報表示パネル１０は、ベース板１１、第一導電層１２、絶縁層１３、第二導電層１４、カバー層１５を備えるようにしたが、これ以外に他の層を設けることも可能である。また、所要の機能を果たすことができるのであれば、それぞれの層の材質は何ら問うものではない。
また、上記したような情報表示パネル１０を複数枚並べ、大面積の表示面を形成することも可能である。
【００３８】
また、電源１６で第一導電層１２、第二導電層１４に流す電流（電位差）をコントロールすることで、取り付けた表示ランプ３０を点滅させたり、あるいはその光の明るさを変動させることも可能である。
加えて、図６に示すように、第一導電層１２、第二導電層１４を、それぞれ複数のブロックに電気的に区分する（各ブロック間で隣り合う第一導電層１２、第二導電層１４を絶縁する）こともできる。この場合、それぞれのブロックで、電源１６から第一導電層１２、第二導電層１４に流す電流を独立してコントロールすることで、それぞれのブロックに配置した表示ランプ３０の点灯あるいは点滅のタイミング、または光の明るさを異ならせることも可能である。
また、図７に示すように、第一導電層１２を複数層に積層して設け（それぞれは絶縁層１３で絶縁する）、表示ランプ３０として、電極部材３３の長さが異なる複数種を用意することもできる。この場合、表示ランプ３０の種類（すなわり電極部材３３の長さ）に応じ、表示ランプ３０が通電する第一導電層１２が異なる。これにより、それぞれの第一導電層１２において、電源１６から流す電流をコントロールすることで、種類が異なる表示ランプ３０ごとに、点灯あるいは点滅のタイミング、または光の明るさを異ならせることが可能となる。
さらに、表示ランプ３０自体にスイッチ機能を備え、表示ランプ３０を情報表示パネル１０に取り付けた状態でスイッチを操作することで、点灯をＯＮ／ＯＦＦさせることも可能である。
これ以外にも、本発明の主旨を逸脱しない限り、上記実施の形態で挙げた構成を取捨選択したり、他の構成に適宜変更することが可能である。
【図面の簡単な説明】
【００３９】
【図１】本実施の形態における情報表示パネルの構成を示す断面図である。
【図２】表示ランプの構成を示す断面図である。
【図３】情報表示パネルと表示ランプを組み合わせて構成される情報表示装置の使用状態を示す断面図である。
【図４】情報表示装置の利用方法の一例を示す図である。
【図５】情報表示装置の利用方法の他の一例を示す図である。
【図６】情報表示装置の応用例を示す図である。
【図７】情報表示装置の他の応用例を示す図である。
【図８】情報表示装置の利用方法のさらに他の一例を示す図である。
【図９】情報表示装置の利用方法のさらに他の一例を示す図である。
【符号の説明】
【００４０】
１０…情報表示パネル（情報表示部、電源装置）、１１…ベース板、１２…第一導電層（第一導電部）、１３…絶縁層（絶縁部）、１４…第二導電層（第二導電部）、１５…カバー層（シート保持層）、１６…電源、２０…シート、３０…表示ランプ、３１…光源（ランプ本体）、３２…カバー、３３…電極部材（第一の電極部材、ピン、電極ピン、第一の電極ピン）、３３ａ…先端部、３４…電極部材（第二の電極部材、ピン、電極ピン、第二の電極ピン）、３４ａ…先端部、３６…絶縁被覆部、３７…ラベル
【図１】
2006010803.tif 000003
【図２】
2006010803.tif 000004
【図３】
2006010803.tif 000005
【図４】
2006010803.tif 000006
【図５】
2006010803.tif 000007
【図６】
2006010803.tif 000008
【図７】
2006010803.tif 000009
【図８】
2006010803.tif 000010
【図９】
2006010803.tif 000011